【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
衛星からの信号を受信してカメラの位置を検出する位置検出部と、
上記位置検出部により検出されたカメラの位置を撮影される画像データとともに記録する記録部と、
上記衛星からの信号受信が可能な状況か否かを、上記撮影される画像データの出力信号に基づいて判定し、上記位置検出部を作動させる作動制御部を備える
ことを特徴とするカメラ。
【請求項２】
撮影時に時刻と位置を撮影画像に関連付けて記録可能なカメラにおいて、
上記撮影時に位置情報を検出できなかった画像に対しては、上記画像の前後のタイミングの位置情報と時刻情報に従って、上記位置情報検出のできなかった画像の位置情報を決定する位置決定部を備える
ことを特徴とするカメラ。
【請求項３】
カメラの位置を検出する位置検出部と、
上記位置検出部により検出されたカメラの位置を撮影される画像データに関連して記録する記録部と、
カメラが屋外にあるか否かを判定する屋外判定部と、
上記位置検出部の動作を制御する作動制御部とを備え、
上記作動制御部は、上記屋外判定部によりカメラが屋外にあると判定されたときに、位置検出部にカメラの位置検出を行わせるよう制御する
ことを特徴とするカメラ。
【請求項４】
上記屋外判定部は、被写体までの距離によってカメラが屋外にあるか否かを判定する
ことを特徴とする請求項３に記載のカメラ。
【請求項５】
上記屋外判定部は、被写体の明るさによってカメラが屋外にあるか否かを判定する
ことを特徴とする請求項３に記載のカメラ。
【請求項６】
上記屋外判定部は、マイクで検出した音声に応じてカメラが屋外にあるか否かを判定する
ことを特徴とする請求項３に記載のカメラ。
【請求項７】
太陽光を検出する検出部を備え、
上記屋外判定部は、上記検出部の出力に応じてカメラが屋外にあるか否かを判定する
ことを特徴とする請求項３に記載のカメラ。
【請求項８】
さらに上記作動制御部は、撮影時以外のタイミングにおいては、直近にカメラ位置を検出した時点からの経過時間に応じて、上記位置検出部にカメラの位置検出を行わせるよう制御する
ことを特徴とする請求項３に記載のカメラ。
【請求項９】
カメラの位置を検出する位置検出部と、
時刻を検出する時計部と、
上記位置検出部により検出されたカメラの位置及び上記時計部により検出された撮影日時を、撮影される画像データに関連して記録する記録部と、
撮影時にカメラの位置が検出できなかった画像に対して、この画像の前及び後に撮影された画像であって、上記カメラの位置と撮影日時がともに記録された画像のカメラの位置と撮影日時に従って、この検出できなかったカメラの位置を決定する位置決定部を備えることを特徴とするカメラ。
【請求項１０】
カメラの位置を検出する位置検出部と、上記位置検出部により検出されたカメラの位置を撮影される画像データに関連して記録する記録部を有するカメラにおける上記位置検出部を制御する制御方法において、
カメラが屋外にあるか否かを判定し、カメラが屋外にあると判定したときに、上記位置検出部を作動させて、上記位置検出部にカメラの位置検出を行わせるよう制御する
ことを特徴とする位置検出部の制御方法。
【請求項１１】
カメラの位置を検出する位置検出部と、時刻を検出する時計部と、上記位置検出部により検出されたカメラの位置及び上記時計部により検出された撮影日時を、撮影される画像データに関連して記録する記録部を有するカメラにおける当該カメラの位置を決定する位置決定方法において、
撮影時にカメラの位置が検出できなかった画像に対して、この画像の前及び後に撮影された画像であって、カメラの位置と撮影日時がともに記録された画像のカメラの位置と撮影日時に従って、この検出できなかったカメラの位置を決定する
ことを特徴とするカメラの位置決定方法。
【請求項１２】
カメラの位置を検出する位置検出部と、上記位置検出部により検出されたカメラの位置を撮影される画像データに関連して記録する記録部を有するカメラにおける上記位置検出部を制御する制御方法をコンピュータに実行させるプログラムにおいて、
上記位置検出部を制御する制御方法は、
カメラが屋外にあるか否かを判定し、カメラが屋外にあると判定したときに、上記位置検出部を作動させて、上記位置検出部にカメラの位置検出を行わせるよう制御する
ことを特徴とするプログラム。
【手続補正２】
【補正対象書類名】明細書
【補正対象項目名】発明の名称
【補正方法】変更
【補正の内容】
【発明の名称】カメラ、位置検出部の制御方法及びプログラム
【手続補正３】
【補正対象書類名】明細書
【補正対象項目名】０００６
【補正方法】変更
【補正の内容】
【０００６】
本願発明は、上記課題に鑑み、位置検出部を適切なタイミングで動作させて撮影時の位
置情報を取得できるようなカメラ、そのような位置検出部の制御方法及びそのプログラムを提供することを目的とする。
【手続補正４】
【補正対象書類名】明細書
【補正対象項目名】０００７
【補正方法】変更
【補正の内容】
【０００７】
上記目的を達成するため、第１の発明によるカメラは、衛星からの信号を受信してカメラの位置を検出する位置検出部と、
上記位置検出部により検出されたカメラの位置を撮影される画像データとともに記録する記録部と、
上記衛星からの信号受信が可能な状況か否かを、上記撮影される画像データの出力信号に基づいて判定し、上記位置検出部を作動させる作動制御部を備えるものである。
【手続補正５】
【補正対象書類名】明細書
【補正対象項目名】０００９
【補正方法】変更
【補正の内容】
【０００９】
また、第３の発明による位置検出部を制御する制御方法は、カメラの位置を検出する位置検出部と、上記位置検出部により検出されたカメラの位置を撮影される画像データに関連して記録する記録部を有するカメラにおける上記位置検出部を制御する制御方法において、カメラが屋外にあるか否かを判定し、カメラが屋外にあると判定したときに、上記位置検出部を作動させて、上記位置検出部にカメラの位置検出を行わせるよう制御するものである。
【手続補正６】
【補正対象書類名】明細書
【補正対象項目名】００１０
【補正方法】変更
【補正の内容】
【００１０】
また、第４の発明によるプログラムは、カメラの位置を検出する位置検出部と、上記位置検出部により検出されたカメラの位置を撮影される画像データに関連して記録する記録部を有するカメラにおける上記位置検出部を制御する制御方法をコンピュータに実行させるプログラムにおいて、上記位置検出部を制御する制御方法は、カメラが屋外にあるか否かを判定し、カメラが屋外にあると判定したときに、上記位置検出部を作動させて、上記位置検出部にカメラの位置検出を行わせるよう制御するものである。
【手続補正７】
【補正対象書類名】明細書
【補正対象項目名】００１１
【補正方法】変更
【補正の内容】
【００１１】
また、第５の発明による記録媒体は、カメラの位置を検出する位置検出部と、上記位置検出部により検出されたカメラの位置を撮影される画像データに関連して記録する記録部を有するカメラにおける上記位置検出部を制御する制御方法をコンピュータに実行させるプログラムを記録するコンピュータ読取可能な記録媒体において、上記位置検出部を制御する制御方法は、カメラが屋外にあるか否かを判定し、カメラが屋外にあると判定したときに、上記位置検出部を作動させて、上記位置検出部にカメラの位置検出を行わせるよう制御するものである。
【手続補正８】
【補正対象書類名】明細書
【補正対象項目名】００１２
【補正方法】変更
【補正の内容】
【００１２】
本発明によれば、位置検出部を適切なタイミングで動作させて撮影時の位置情報を取得できるようなカメラ、そのような位置検出部の制御方法およびそのプログラムを提供することができる。